【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
ユーザの操作に基づき、既存データを処理する業務処理を、該業務処理の実行が予定される予定時期又は該実行の契機となる状態変化に関連付けて登録する登録手段と、
前記予定時期の到来後又は前記状態変化の発生後に、前記業務処理の登録後に発生した前記既存データを少なくとも処理する該業務処理の実行を指示する指示手段と、
を備える情報処理装置。
【請求項２】
前記登録手段が、所定フォルダに追加されたファイルを取り込んで蓄積情報を更新する第１業務処理を登録し、
前記指示手段が、前記第１業務処理の登録後に前記所定フォルダに追加されたファイルを取り込んで前記蓄積情報を更新する該第１業務処理の実行を指示する、
請求項１に記載の情報処理装置。
【請求項３】
前記登録手段が、前記第１業務処理を、更新が予定される複数の第１予定時期にそれぞれ関連付けて登録し、
前記指示手段が、いずれの前記第１予定時期の到来後にも、前記第１業務処理の実行を指示する、
請求項２に記載の情報処理装置。
【請求項４】
前記登録手段が、前記第１業務処理を、前記所定フォルダにファイルが追加される前記状態変化に関連付けて登録し、
前記指示手段が、前記状態変化が発生する度に、前記第１業務処理の実行を指示する、
請求項２に記載の情報処理装置。
【請求項５】
前記登録手段が、前記蓄積情報に反映されている数値を集計する第２業務処理を、集計が予定される第２予定時期に関連付けて登録し、
前記指示手段が、前記第２予定時期の到来後に、前記第２業務処理の実行を指示する、
請求項２から請求項４までのいずれかに記載の情報処理装置。
【請求項６】
前記指示手段が、前記第２業務処理の登録後に更新された前記蓄積情報に反映されている前記数値を集計する該第２業務処理の実行を指示する、
請求項５に記載の情報処理装置。
【請求項７】
前記登録手段が、前記第２業務処理の登録後の時期を少なくとも含む集計期間における前記数値を集計する前記第２業務処理を登録する、
請求項５又は請求項６に記載の情報処理装置。
【請求項８】
前記登録手段が、前記ユーザが設定した相対的表現に基づいて特定される前記集計期間における前記数値を集計する該第２業務処理を登録する、
請求項７に記載の情報処理装置。
【請求項９】
前記登録手段が、前記第２業務処理を、複数の前記第２予定時期にそれぞれ関連付けて登録し、
前記指示手段が、いずれの前記第２予定時期の到来後にも、前記第２業務処理の実行を指示する、
請求項５から請求項８までのいずれかに記載の情報処理装置。
【請求項１０】
ユーザの操作に基づき、既存データを処理する業務処理を、該業務処理の実行が予定される予定時期又は該実行の契機となる状態変化に関連付けて登録する登録処理と、
前記予定時期の到来後又は前記状態変化の発生後に、前記業務処理の登録後に発生した前記既存データを少なくとも処理する該業務処理の実行を指示する指示処理と、
を単数又は複数のコンピュータが実行する情報処理方法。
【請求項１１】
ユーザの操作に基づき、既存データを処理する業務処理を、該業務処理の実行が予定される予定時期又は該実行の契機となる状態変化に関連付けて登録する登録処理と、
前記予定時期の到来後又は前記状態変化の発生後に、前記業務処理の登録後に発生した前記既存データを少なくとも処理する該業務処理の実行を指示する指示処理と、
を単数又は複数のコンピュータに実行させる情報処理プログラム。
【手続補正２】
【補正対象書類名】明細書
【補正対象項目名】発明の名称
【補正方法】変更
【補正の内容】
【発明の名称】情報処理装置，情報処理方法及び情報処理プログラム
【手続補正３】
【補正対象書類名】明細書
【補正対象項目名】０００１
【補正方法】変更
【補正の内容】
【０００１】
本発明は，情報処理装置，情報処理方法及び情報処理プログラムに関する。
【手続補正４】
【補正対象書類名】明細書
【補正対象項目名】０００５
【補正方法】変更
【補正の内容】
【０００５】
特許文献１に開示されている業務管理プログラムでは，カレンダー画面に表示された業務予定を選択することで，その業務予定にリンクした業務処理プログラムが起動する。しかし，特許文献１では，業務処理プログラムを，業務予定にリンクさせることが開示されているのみである。また業務予定への登録も，所定期間や周期などのパラメータによって登録できるものの，それにとどまっている。そのため，仮に，月次，四半期，半期，年次など，パラメータによって業務予定を定期的に登録することができたとしても，スケジュールを定期的に登録することができ，そのパラメータを業務処理プログラムに渡せるにとどまる。
本発明が解決しようとする課題は、既存データの処理を期限又は条件に基づいて自動的に実行させることである。
【手続補正５】
【補正対象書類名】明細書
【補正対象項目名】０００６
【補正方法】変更
【補正の内容】
【０００６】
（Ａ）上記課題を解決するため、本発明の一態様である「情報処理装置」は、ユーザの操作に基づき、既存データを処理する業務処理を、該業務処理の実行が予定される予定時期又は該実行の契機となる状態変化に関連付けて登録する登録手段と、前記予定時期の到来後又は前記状態変化の発生後に、前記業務処理の登録後に発生した前記既存データを少なくとも処理する該業務処理の実行を指示する指示手段と、を備える。
（Ｂ）上記課題を解決するため、本発明の一態様である「情報処理方法」は、ユーザの操作に基づき、既存データを処理する業務処理を、該業務処理の実行が予定される予定時期又は該実行の契機となる状態変化に関連付けて登録する登録処理と、前記予定時期の到来後又は前記状態変化の発生後に、前記業務処理の登録後に発生した前記既存データを少なくとも処理する該業務処理の実行を指示する指示処理と、を単数又は複数のコンピュータが実行する。
（Ｃ）上記課題を解決するため、本発明の一態様である「情報処理プログラム」は、ユーザの操作に基づき、既存データを処理する業務処理を、該業務処理の実行が予定される予定時期又は該実行の契機となる状態変化に関連付けて登録する登録処理と、前記予定時期の到来後又は前記状態変化の発生後に、前記業務処理の登録後に発生した前記既存データを少なくとも処理する該業務処理の実行を指示する指示処理と、を単数又は複数のコンピュータに実行させる。
【手続補正６】
【補正対象書類名】明細書
【補正対象項目名】０００７
【補正方法】変更
【補正の内容】
【０００７】
上記（Ａ）の「情報処理装置」に、下記の技術的限定を加えてもよい。また、同様の技術的限定を上記（Ｂ）の「情報処理方法」及び上記（Ｃ）の「情報処理プログラム」に加えてもよい。
・前記登録手段が、所定フォルダに追加されたファイルを取り込んで蓄積情報を更新する第１業務処理を登録し、前記指示手段が、前記第１業務処理の登録後に前記所定フォルダに追加されたファイルを取り込んで前記蓄積情報を更新する該第１業務処理の実行を指示する。
・前記登録手段が、前記第１業務処理を、更新が予定される複数の第１予定時期にそれぞれ関連付けて登録し、前記指示手段が、いずれの前記第１予定時期の到来後にも、前記第１業務処理の実行を指示する。
・前記登録手段が、前記第１業務処理を、前記所定フォルダにファイルが追加される前記状態変化に関連付けて登録し、前記指示手段が、前記状態変化が発生する度に、前記第１業務処理の実行を指示する。
・前記登録手段が、前記蓄積情報に反映されている数値を集計する第２業務処理を、集計が予定される第２予定時期に関連付けて登録し、前記指示手段が、前記第２予定時期の到来後に、前記第２業務処理の実行を指示する。
・前記指示手段が、前記第２業務処理の登録後に更新された前記蓄積情報に反映されている前記数値を集計する該第２業務処理の実行を指示する。
・前記登録手段が、前記第２業務処理の登録後の時期を少なくとも含む集計期間における前記数値を集計する前記第２業務処理を登録する。
・前記登録手段が、前記ユーザが設定した相対的表現に基づいて特定される前記集計期間における前記数値を集計する該第２業務処理を登録する。
・前記登録手段が、前記第２業務処理を、複数の前記第２予定時期にそれぞれ関連付けて登録し、前記指示手段が、いずれの前記第２予定時期の到来後にも、前記第２業務処理の実行を指示する。
【手続補正７】
【補正対象書類名】明細書
【補正対象項目名】００１８
【補正方法】変更
【補正の内容】
【００１８】
本発明によれば、期限又は条件の設定後に発生した既存データの処理を当該期限又は当該条件に基づいて自動的に実行させることができる。